(57)【要約】      （修正有）【課題】浸透性のない素材で、裏面に触れることなく瞬時に開閉する折り畳みシートを使うことにより、乗り合いのシートやベンチの汚れに、触れることを防ぐことができる折りたたみシートを提供する。【解決手段】シート本体１を折り畳み、畳み込んだシートを、２と２ａを同時に引くことにより、裏面に触れることなく、瞬時に開閉し、汚れに触れることを防ぎ、衛生的に保つことに役立つ。【選択図】図１
0003115212.tif 000002
【実用新案登録請求の範囲】
【請求項１】
ビニール等、非浸透性の適宣素材を使ったシートに、折り線、又は、折り代（しろ）を作り入れる。
（このとき、できる折り畳む面の数は、２の倍数個である。）それらを横の折り線や折り代、縦の折り線や折り代に、沿って、規則的に畳み込んだシートを、シートを広げた状態で対角線上の両角を指でつまみ、同等に引くことにより、瞬時に広がるところを特徴とする折り畳みシート。
【請求項２】
［請求項１］で、説明した、瞬時に広がるところを特徴とするシートの対角線上の、両延長上に、持ち手になる部分を、加えて、素材をカットして作る、その持ち手を、指でつまみ、両方、同じに引くことにより、瞬時に広がるところを特徴とする折り畳みシート。
【請求項３】
［請求項１］で、説明した、瞬時に、広がるところを特徴とする折り畳みシートを、シートを広げた状態で、対角線上の表側の両角に、新たに取り付けた、持ち手を同じに引くことにより、裏面に、触れることなく、瞬時に広がるところを特徴とする折り畳みシート。
【請求項４】
［請求項１］で、説明した、瞬時に広がるところを特徴とする、折り畳みシートと、［請求項２］で、説明した、裏面に触れることなく、瞬時に広がるところを特徴とする折り畳みシートには、横の折り線や折り代と、縦の折り線や折り代を作り入れたが、折り線や折り代では、なく、折り畳む際の、山側に、すべて、シートの厚み、半分以下の切り込みを入れることにより、裏面に、触れることなく、瞬時に広がると共に、瞬時に、閉じることも、可能になることを、特徴とする折り畳みシート。
【考案の詳細な説明】
【技術分野】
【０００１】  本考案は、ビニール等、非浸透性の適宣素材を使ったシートに、折り線や折り代（しろ）、又は、切り込みを作り入れる。（このときにできる、折り畳む面の数は、２の倍数個である。）それらに沿って規則的に、畳み込んだシートを、広げた状態で面の対角線上の両角や、対角線の両延長上の、持ち手を指でつまみ、同時に引くことに加え、表側に、対角線上の両角に取り付けた、持ち手を引くことにより、裏面に触れることなく、瞬時に、開閉する折り畳みシートに関するものである。
［背景技術］【０００２】  電車、バス、タクシーなど、乗り合いのシート、映画館、公園のベンチなど、公共施設などの座席の汚れ。血液などの体液、他人の座った後のぬくもりなどを、スボンスカート、肌着、を通してではあるが、直接それらに触れていた。又、行楽シートを広げたり、閉じたりする場合、嵩張りなどで、良く畳めないことや、地面に接した、汚れている、裏面を触れながら畳んでいた。
［考案が解決しようとする課題］【０００３】  浸透性のない、素材を使うことにより、乗り合いのシートやベンチなどの汚れ、行楽用シートなどにつく、土などの汚れを防ぎ、シートを畳むときや広げる際、嵩張りなどで、時間や手間が、かかっていたことが、裏面に触れずに、瞬時に開閉する、シートを使うこどで、それらを解決しようとしている。
［課題を解決するための手段］【０００４】  本考案は、ビニール等、非浸透性の適宣素材を使ったシートに、折れ線や折り代、又は、切り込みを作り入れ、規則的に、畳み込むと共に、広げた状態で、対角線上、又は、対角線の両延長上にもうけた、２つの持ち手、又は、直接、シートの対角線上の両角を指でつまみ、同時に引くことにより、裏面に触れずに、瞬時に小さく、簡単にしまい、広げることができることで問題点を解決している。
［考案の効果］【０００５】  乗り合いのシートや、公共の座席などに敷くものといえば、ハンカチ位なもので、浸透性のない素材を使った、シートそのものがなかった。しかもそれが、簡単に敷くことができ、簡単に小さく畳めることで、時間と手間が、かからないと共に、シートを広いた状態で、表側の対角線上に、持ち手を取り付けた折り畳みシートは、裏面に触れることなく、清潔に畳むことができ、汚れを防止することを保つために役だつ。
［考案を実施するための最良の形態］【０００６】  シートを横に、２等分する。折り線や折り代、又は、切り込み（切り込みの深さは、素材の半分以下とし、畳む際、折れる、山側すべてに、切り込みを入れる。）を作り入れ、シートの縦にも、等間隔になるように、横と同用のものを作り入れる。その際、縦に作り入れる、折り線などの数は、０以上の整数である。それらを畳む際、横を２等分するのは、すべてのものに、共通し、まず、裏側が、重なり合うように、横の線などに沿り、畳む、次に、等間隔で作り入れた、縦の線などに沿り、畳む場合だが、縦の線などが、０の場合は、横線などに沿って、畳んだ状態で畳みは、終了。縦線などが、等間隔で、１つの場合縦線に沿り、右側の表面を左側の表面に、縦線などに沿り、重ねることで畳みは終了。縦線などが、等間隔で、２つ以上の場合、まず、縦線などが、１つの場合のように、１番左側の表面から、２つ目の表面を重ね合わせ、３つ目の面は、裏面と２つ目の裏面を縦線に沿り重ね合わせ、４つ目の面は、表面と、３つ目の表面を縦線に沿り、重ね合わせると、いうように、偶数面は、表面同し、重ね合わせ、奇数面は、裏面同し、重ね合わせる。という具合に、扇子折りに、畳み込む。このようにして、畳み込んだシートを、広げた状態で、対角線上の両角や対角線の延長上の持ち手や対角線上の両角に新たにとり付けた、持ち手等を指でつまみ、同時に引くことにより、瞬時に、広げることが、できる。折り畳もうとするすべての山側に切り込みを入れた、上述のものに限っては、瞬時に閉じることも可能になる。
［実施例］【０００７】  以下、添付図面に従って、一実施例を説明する。尚、［請求項１］で述べたように折り畳む面の数は、２の倍数個であれば、すべて実施可能だが、ここではシートを折り畳む面が、６枚のものを使って、説明すると共に、持ち手を対角線上の両角に作り付けて、折れる山側すべてに、シートの厚み、半分以下の切り込みを入れた、裏面に触れずに、瞬時に開閉する折り畳みシートを使って説明する。１は、ビニール等、非浸透性の適選素材を使ったシート本体である。Ａ１、Ａ２、Ａ３、Ａ４、Ａ５、Ａ６は、それぞれ折り畳む面である。Ｂは、切り込みを表面（山側）に作り入れた、シートの横線である。Ｃ１は、切り込みを裏面（山側）に作り入れた、シートの左から１つ目の上半分の縦線である。Ｃ２は、切り込みを表面（山側）に作り入れた、シートの左から１つ目の下半分の縦線である。Ｃ３は、切り込みを表面（山側）に作り入れた、シートの左から、２つ目の上半分の縦線である。Ｃ４は、切り込みを裏面（山側）に作り入れた、シートの左から２つ目の下半分の縦線である。（すべての山側に作り入れた、切り込みは、シートの厚さの半分以下である。）２は、シートの表側の対角線上の上部に取り付けた、取り手（爪）である、２ａは、２と反対の対角線上の下部に取り付けた、取り手（爪）である。【０００８】図２は、図１の本体を、どのように折り畳むか、畳に方と順序を示した図である。（１）は、シートを横に、２等分した、Ａに沿って、裏側を重なり合わせる。Ａ１、Ａ２、Ａ３と、Ａ４、Ａ５、Ａ６が重なり合い、（２）の状態になる。（３）のように、沿って谷折りにし、表側のＡ１とＡ３が重なり、Ｃ３に沿って山折りにし、裏側のＡ４とＡ６が重なる。畳み終えた状態が（４）である。（４）を前述のように、両方の取り手を左右の手の指でつまみ、同時に引くことにより、瞬時に開き、又、畳もうとするすべての山側に、素材の厚みの、半分以下の切り込みを入れたことにより、山側には、平面以上に折れず、谷側には、谷側に、折れようとすることで、瞬時に閉じることも可能になる。図３は、折れようとしてる山側に、素材の厚みの、半分以下の切り込みを入れ、谷側に折れようとしている断面図である。【０００９】  図４は、［請求項１］で述べた、シートに折り代を作り入れた、シートの断面図である。
（折り代であること以外は、すべて前述と同じ行程である。）３は本体である。４は横の折り代の断面図である。４ａは、縦の折り代の断面図である。４の折り代の幅の長さをａｍｍとし、４ａの折り代の幅の長さを、ｂｍｍとする。ａ≦ｂである。【００１０】  図５は、［請求項２］で述べた、１枚の素材で、持ち手部分も作り入れた、図である。ＤとＥ１、Ｅ２、Ｅ３、Ｅ４は、すべて折れ線である。（折れ線であることと、持ちて以外は、前述と同じ行程である。）
【図面の簡単な説明】
【００１１】［図１］本考案の裏面に触れることなく、瞬時に開閉する折り畳みシートの一実施例を示す正面図である。
［図２］本シートの畳み方、折り畳む順序を示した図である。
［図３］本シートが谷側に、折れることを示す断面図である。
［図４］本考案の［請求項１］で述べた、折り代を作り入れたシートの断面図である。
［図５］本考案の［請求項２］で述べた、１枚の素材から持ち手部分も、カットして作った本体の正面図である。
【符号の説明】
【００１２】１  シート本体
２  取り手になる爪
２ａ取り手になる爪
３  折り代を作り入れたシート本体
４  横の折り代
４ａ縦の折り代
５  １枚の素材で持ちて部分も作り入れたシートの本体
【図１】
0003115212.tif 000003
【図２】
0003115212.tif 000004
【図３】
0003115212.tif 000005
【図４】
0003115212.tif 000006
【図５】
0003115212.tif 000007
【手続補正書】
【提出日】平成17年4月25日(2005.4.25)
【手続補正１】
【補正対象書類名】実用新案登録請求の範囲
【補正対象項目名】請求項２
【補正方法】変更
【補正の内容】
【請求項２】
請求項１で説明した、瞬時に広がるところを特徴とするシートの対角線上の両延長上に、持ち手になる部分を加えて素材をカットして作り、その持ち手を指でつまみ、両方同時に引くことにより、瞬時に広がるところを特徴とする折り畳みシート。
【手続補正２】
【補正対象書類名】明細書
【補正対象項目名】０００２
【補正方法】変更
【補正の内容】
【０００２】  電車、バス、タクシーなど乗り合いの座席シート、映画館、公園のベンチなどの座席の汚れ、血液や汗などの体液、他人の座った後のぬくもりを、ズボン、スカート、肌着を通してではあるが、直接それらに触れていた又、行楽シートを広げたり、閉じたりする場合、嵩張りなどで良く畳めないことや、地面に接した、汚れている裏面に触れながら畳んでいた。
【手続補正３】
【補正対象書類名】明細書
【補正対象項目名】０００３
【補正方法】変更
【補正の内容】
【０００３】  浸透性のない、素材を使うことにより、乗り合いの座席のシートや、ベンチなどの汚れ、行楽用シートなどにつく、土などの汚れを防ぎ、シートを畳むときや広げるときに嵩張りなどで時間や手間をかけていたことが、裏面に触れずに、瞬時に開閉するシートを使うことで、それらを解決しようとしている。
【手続補正４】
【補正対象書類名】明細書
【補正対象項目名】０００５
【補正方法】変更
【補正の内容】
【０００５】  乗り合いの座席のシートや公共施設の座席などに敷くものといえば、ハンカチ位なもので、浸透性のない素材を使ったシートそのものがなかった、しかもそれが、簡単に敷くことができ、簡単に小さく畳めることで、時間と手間が、かからないと共に、シートを開く状態で表側の対角線上に持ち手を取り付けた折り畳みシートは、裏面に触れることなく、清潔に畳むことができ、汚れを防止するために役だつ。
【手続補正５】
【補正対象書類名】明細書
【補正対象項目名】０００６
【補正方法】変更
【補正の内容】
【０００６】  シートを２等分する横の折り線や折り代又は、切り込み（切り込みの深さは、素材の厚さの半分以下とし、畳む際、折れる山側すべてに切り込みを入れる。）作り入れ、シートの縦にも、等間隔になるように、横と同様のものを作り入れる。その際、縦に作り入れる折り線などの数は０以上の整数である。それらを畳む際まず初めに、横の折り線などに沿って、裏面どうしを重ね合わせるこれは、すべてのものに共通する。次に等間隔で作り入れた縦の線などに沿り畳む場合だが、縦の線などが０の場合は、横線などに沿って畳んだ状態で畳みは、終了。縦線などが等間隔で、１つの場合縦線などに沿り、右側の表面を左側の表面に重ねることで畳みは、終了。縦線などが、等間隔で、２つ以上の場合、まず縦線などが、１つの場合のように、１番左側の表面と２つ目の表面を重ね合わせ、３つ目の面は裏面と２つ目の裏面を縦線に沿り重ね合わせ、４つ目の面は、表面と、３つ目の表面を縦線に沿り、重ね合わせるというように、扇子を折るように畳み込む。このようにして畳み込んだシートを、広げた状態で対角線上の両角や対角線の延長上の持ち手や対角線上の両角に新たに取り付けた持ち手等を指でつまみ、同時に引くことにより、瞬時に広げることができる。折り畳もうとするすべての山側に、切り込みを入れた上述のものに限っては、瞬時に閉じることも可能にする。
【手続補正６】
【補正対象書類名】明細書
【補正対象項目名】０００８
【補正方法】変更
【補正の内容】
【０００８】  図２は、図１の本体をどのように折り畳むか、畳み方と順序を示した図である。（１）はシートを横に２等分したＢに沿って裏面を重ね合わせる。Ａ１．Ａ３、Ａ５とＡ２、Ａ４．Ａ６が重なり合い（２）の状態になる。（３）のようにＣ１に沿って谷折りにし、表側のＡ１とＡ３が重なり、Ｃ３に沿って山折りにし、裏側のＡ４とＡ６が重なる。畳み終えた状態が、（４）である。（４）を前述のように、両方の取り手を左右の指で同時に引くことにより、瞬時に開き、又畳もうとするすべての山側に、素材の厚みの半分以下の切り込みを入れたことにより、山側には平面以上に折れず、谷側には谷側に、折れようとするので、瞬時に閉じることも可能にする。図３は、折れようとしている山側に、素材の厚みの、半分以の切り込みを入れ、谷側に折れようとしている断面図である。
【手続補正７】
【補正対象書類名】図面
【補正対象項目名】図２
【補正方法】変更
【補正の内容】
【図２】
0003115212.tif 000008
【手続補正書】
【提出日】平成17年8月5日(2005.8.5)
【手続補正１】
【補正対象書類名】実用新案登録請求の範囲
【補正対象項目名】請求項１
【補正方法】変更
【補正の内容】
【請求項１】
ビニール等、非浸透性の適宣素材を使ったシートに、シートを横に等分する折り線や折り代、シートを縦に等分する折り線や折り代を作り入れ、それらに沿って、シートの裏面を包み込むように扇子を畳むような重ね折り等でシートを規則的に畳み、シートを開いた状態の対角線上の両角をその規則的に畳んだ状態のとき両手の指でつまみ、それを同時に引くことにより、瞬時に広がるところを特徴とする折り畳みシート。
【手続補正２】
【補正対象書類名】実用新案登録請求の範囲
【補正対象項目名】請求項４
【補正方法】変更
【補正の内容】
【請求項４】
請求項１で説明した瞬時に広がるところを特徴とするシートと請求項３で説明した裏面に触ることなく瞬時に広がるところを特徴とする折り畳みシートには、シートを横に等分する折り線や折り代とシートを縦に等分する折り線や折り代を作り入れたが、折り線や折り代では、なく、これらを折り遇む際にできるすべての山側にシートの厚みの半分程の切り込みを入れることにより、裏面に触れることなく瞬時に広がると共に瞬時に閉じることも可能になることを特徴とする折り畳みシート。
【手続補正３】
【補正対象書類名】明細書
【補正対象項目名】０００６
【補正方法】変更
【補正の内容】
【０００６】  シートを２等分する横の折り線や折り代又は、畳み込む際折れる山側すべてに素材の厚さの半分程の切り込みを作り入れ、シートの縦にも等間隔になるように横と同様のものを作り入れる、その際縦に作り入れる折り線などの数は０以上の整数である、それらを畳む際、まず初めに横の折り線などに沿って裏面どうしを重ね合わせるこれは、すべてシートに共通する。次に等間隔で作り入れた縦の線などに沿り畳む場合だが、縦の線などが０の場合は、横線などに沿って畳んだ状態で畳みは終了、縦線などが等隔で、１つの場合縦線などに沿り右側の表面を左側の表面に重ねることで畳みは終了、縦線などが、等間隔で２つ以上の場合、まず縦線などが１つの場合のように、１番左側の表面と２つ目の表面を重ね合わせ、３つ目の面は、裏面と２つ目の裏面を縦線に沿り重ね合わせ、４つ目の面は、表面と３つ目の表面を縦線に沿り、重ね合わせるというように扇子を畳むように折り込む。このようにして畳み込んだシートを広げた状態で対角線上の両角や対角線の延長上の持ち手や対角線上の両角に新たに取り付けた持ち手等を両手の指でつまみ同じに引くことにより、瞬時に広げることができる、折り畳もうとするすべての山側に切り込みを入れた上述のものに限っては、瞬時に閉じることも可能にする。
【手続補正４】
【補正対象書類名】明細書
【補正対象項目名】０００７
【補正方法】変更
【補正の内容】
【０００７】以下、添付図面に従って、一実施例を説明する。尚シートを折り畳む面の数は２の倍数個であればすべて実施可能だがここではシートを折り畳む面が、６枚のものを使って説明すると共に、持ち手を対角線上の両角に作り付けて、折れる山側すべてに、シートの厚み半分程度の切り込みを入れた、裏面に触れずに、瞬時に開閉する折り畳みシートを使って説明する。１は、ビニール等、非浸透性の適選素材を使ったシート本体である。Ａ１，Ａ２，Ａ３，Ａ４，Ａ５，Ａ６は、それぞれ折り畳む面である。Ｂは折り込みを表面（山側）に作り入れた、シートの横線である。Ｃ１は、切り込みを裏面（山側）に作り入れた、シートの左から１つ目の上半分の縦線である。Ｃ２は、切り込みを表面（山側）に作り入れた、シートの左から１つ目の下半分の縦線である。Ｃ３は、切り込みを表面（山側）に作り入れた、シートの左から２つ目の上半分の縦線である。Ｃ４は、切り込みを裏面（山側）に作り入れたシートの左から２つ目の下半分の縦線である。２はシートの表側の対角線上の上部に取り付けた、取り手（爪）である。２ａは、２と反対の対角線上の下部に取り付けた、取り手（爪）である。
【手続補正５】
【補正対象書類名】明細書
【補正対象項目名】０００８
【補正方法】変更
【補正の内容】
【０００８】  図２は、図１の本体をどのように折り畳むか、畳み方と順序を示した図である。（１）はシートを横に２等分したＢに沿って裏面を重ね合わせる。Ａ１，Ａ３，Ａ５とＡ２，Ａ４，Ａ６が重なり合い（２）の状態になる。（３）のようにＣ１に沿って谷折りにし、表側のＡ１とＡ３が重なり、Ｃ３沿って山折りにし、裏側のＡ４とＡ６が重なる。畳み終えた状態が（４）である。（４）を前述のように、両方の取り手を左右の指で同時に引くことにより、瞬時に開き、又畳もうとするすべての山側に、素材の厚みの半分以下の切り込みを入れたことにより、山側には平面以上に折れず、谷側には谷側に折れようとするので、瞬時に閉じることも可能にする。図３は、折れようとしている山側に素材の厚みの半分程の切り込みを入れ、谷側に折れようとしている断面図である。